(57)【要約】  本発明の一態様である記憶装置１０１は、交換可能な複数の記録媒体１０５に対して、複数のドライブユニット１１１を用いてデータを記録再生する。複数の記録媒体はマガジン１０４に格納されており、１つのマガジンを単位に記憶装置に対して着脱される。記憶装置は、装着されたマガジンと複数のドライブユニットとの間で複数の記録媒体を搬送する搬送部１０８と、複数の記録媒体で構成する所定のＲＡＩＤに応じてデータを分割し、２つ以上のドライブユニットを用いて複数の記録媒体へ並列に記録するＲＡＩＤ制御部１０３とを備え、１つのマガジン単位で１つのＲＡＩＤを構成する。
2013005418.tif 000002
【特許請求の範囲】
【請求項１】
交換可能な複数の記録媒体に対して、複数のドライブユニットを用いてデータを記録再生する記憶装置であって、
前記複数の記録媒体はマガジンに格納されており、１つの前記マガジンを単位に前記記憶装置に対して着脱され、
前記記憶装置に装着された前記マガジンと前記複数のドライブユニットとの間で前記複数の記録媒体を搬送する搬送部と、
前記複数の記録媒体で構成する所定のＲＡＩＤに応じてデータを分割し、２つ以上の前記ドライブユニットを用いて前記複数の記録媒体へ並列に記録するＲＡＩＤ制御部と、
を備え、
１つのマガジン単位で１つのＲＡＩＤを構成する、記憶装置。
【請求項２】
前記１つのマガジンに格納された全ての前記記録媒体で前記１つのＲＡＩＤを構成する、請求項１に記載の記憶装置。
【請求項３】
前記マガジンに格納された前記記録媒体の個数を検出する検出部をさらに備え、
前記ＲＡＩＤ制御部は、前記検出した記録媒体の個数に応じてＲＡＩＤの種類を切り替える、請求項１に記載の記憶装置。
【請求項４】
前記ＲＡＩＤ制御部は、前記検出した記録媒体の個数と要求される信頼性とに応じて、ＲＡＩＤの種類を切り替える、請求項３に記載の記憶装置。
【請求項５】
前記記憶装置には複数の前記マガジンが着脱され、
前記複数のマガジンのうちの少なくとも１つに格納された記録媒体の個数が他のマガジンと異なる場合、前記ＲＡＩＤ制御部は、前記複数のマガジンのそれぞれの装着時のデータ転送速度が互いに一定となるように、ＲＡＩＤの種類を切り替える、請求項３に記載の記憶装置。
【請求項６】
前記マガジンには最大６個の前記記録媒体が格納可能であり、
前記ＲＡＩＤ制御部は、前記検出した記録媒体の個数が６個の場合にはＲＡＩＤ１を構成し、５個の場合にはＲＡＩＤ６を構成し、４個の場合にはＲＡＩＤ５を構成する、請求項５に記載の記憶装置。
【請求項７】
複数の前記マガジンを同時に収納する収納庫をさらに備え、
前記記憶装置は、使用するマガジンを前記複数のマガジン間で切り替え、
前記複数のマガジンのそれぞれは、１つのマガジン単位で記憶装置に対して着脱される、請求項１に記載の記憶装置。
【請求項８】
前記複数の記録媒体は、追記型光ディスクおよび書換え型光ディスクのいずれか一方に、マガジン単位で統一されている、請求項１に記載の記憶装置。
【請求項９】
前記複数のドライブユニットのうちの少なくとも１つが故障した場合に代わりに使用する少なくとも１つの予備のドライブユニットをさらに備える、請求項１に記載の記憶装置。
【請求項１０】
前記マガジンには格納された前記記録媒体の個数を示す情報が設けられており、
前記検出部は、前記記録媒体の個数を示す情報から前記記録媒体の個数を検出する、請求項３に記載の記憶装置。
【請求項１１】
前記検出部は、装着された前記マガジンから搬送された記録媒体を検出することで、前記記録媒体の個数を検出する、請求項３に記載の記憶装置。
【請求項１２】
交換可能な複数の記録媒体に対して、複数のドライブユニットを用いてデータを記録再生する記憶方法であって、
前記複数の記録媒体はマガジンに格納されており、１つの前記マガジンを単位に記憶装置に対して着脱され、
前記記憶装置は、前記複数のドライブユニットを備え、
前記記憶方法は、
前記記憶装置に装着された前記マガジンと前記複数のドライブユニットとの間で前記複数の記録媒体を搬送するステップと、
前記複数の記録媒体で構成する所定のＲＡＩＤに応じてデータを分割し、２つ以上の前記ドライブユニットを用いて前記複数の記録媒体へ並列に記録するステップと、
を含み、
１つのマガジン単位で１つのＲＡＩＤを構成する、記憶方法。
【請求項１３】
複数の記録媒体を格納し、１つのマガジンを単位に記憶装置に対して着脱されるマガジンであって、
前記記憶装置は、前記複数の記録媒体に対してデータの記録再生を行う複数のドライブユニットと、
前記記憶装置に装着された前記マガジンと前記複数のドライブユニットとの間で前記複数の記録媒体を搬送する搬送部と、
前記複数の記録媒体で構成する所定のＲＡＩＤに応じてデータを分割し、２つ以上の前記ドライブユニットを用いて前記複数の記録媒体へ並列に記録するＲＡＩＤ制御部と、
を備え、
１つのマガジン単位で１つのＲＡＩＤを構成する、マガジン。
【発明の詳細な説明】
【技術分野】
【０００１】
本願は、データを記憶する装置および方法に関し、例えば、光ディスクなどの交換可能な記録媒体を複数使用して、ＲＡＩＤシステムを構成するディスクアレイ装置に関する。
【背景技術】
【０００２】
業務用サーバ等のコンピュータシステムにおいて、大容量でかつ転送速度や耐障害性の向上を実現するための外部記憶装置としてディスクアレイ装置がある。【０００３】
ディスクアレイ装置では、複数のドライブユニットを用いた並列処理と冗長性を付加する、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）を構成することで、耐障害性（高信頼性）や高転送速度を実現している。【０００４】
一般的に使用されるＲＡＩＤの構成は、ミラーリングを行うＲＡＩＤ１、ブロック単位に算出したパリティを分散記録するＲＡＩＤ５、ブロック単位に算出した２種類のパリティを分散記録するＲＡＩＤ６等がある。また、これらのＲＡＩＤ構成を組み合わせた方式も使用されている。【０００５】
従来、ディスクアレイ装置では、ユニットあたりの記録容量や性能の観点から、ドライブユニットとしてハードディスクドライブが用いられることが一般的であった。【０００６】
一方、保存するデータの容量は、近年、飛躍的に増加している。ハードディスクドライブ装置を用いたディスクアレイ装置では、容量増加のためには、ドライブ装置の増設が不可欠であり、この結果、消費エネルギー量が増大するという問題があった。【０００７】
その為、エネルギー消費の少ないディスクアレイ装置が求められている。そのようなエネルギー消費の少ないディスクアレイ装置の一つとして、光ディスクを用いたディスクアレイ装置が挙げられる（例えば、特許文献１および２）。
【先行技術文献】
【特許文献】
【０００８】
【特許文献１】特開平８−２４９７９４号公報
【特許文献２】特開２０００−１２２８１２号公報
【発明の概要】
【発明が解決しようとする課題】
【０００９】
しかし、光ディスクのような交換可能な記録媒体を用いるディスクアレイ装置では、複数の記録媒体をディスクアレイ装置から取り出して保管する時に、記録媒体同士の順番が入れ替わったり、別のグループに混ざったりしてしまうおそれがあり、記録媒体の管理が容易でないという課題がある。本発明の限定的でない例示的なある実施形態は、保管時の記録媒体の管理を容易にする記憶装置および記憶方法を提供する。
【課題を解決するための手段】
【００１０】
本発明の一態様である記憶装置は、交換可能な複数の記録媒体に対して、複数のドライブユニットを用いてデータを記録再生する記憶装置であって、前記複数の記録媒体はマガジンに格納されており、１つの前記マガジンを単位に前記記憶装置に対して着脱され、前記記憶装置に装着された前記マガジンと前記複数のドライブユニットとの間で前記複数の記録媒体を搬送する搬送部と、前記複数の記録媒体で構成する所定のＲＡＩＤに応じてデータを分割し、２つ以上の前記ドライブユニットを用いて前記複数の記録媒体へ並列に記録するＲＡＩＤ制御部とを備え、１つのマガジン単位で１つのＲＡＩＤを構成する。
【発明の効果】
【００１１】
本発明の一態様にかかる記憶装置によれば、複数の交換可能な記録媒体を用いてＲＡＩＤを構成した場合に、チェンジャシステムやアレイ装置から記録媒体を取り出した後も、複数の記録媒体をグループとして、一括して容易に、管理、保存することができる。
【図面の簡単な説明】
【００１２】
【図１】例示的な実施形態におけるディスクアレイ装置の構成を示すブロック図である。
【図２】例示的な実施形態におけるディスクアレイ装置の動作を説明する図である。
【図３】例示的な実施形態におけるディスクアレイ装置に、６枚の記録媒体が格納されたマガジンが装着された場合の動作を説明する図である。
【図４】例示的な実施形態におけるディスクアレイ装置に、５枚の記録媒体が格納されたマガジンが装着された場合の動作を説明する図である。
【図５】例示的な実施形態におけるディスクアレイ装置に、４枚の記録媒体が格納されたマガジンが装着された場合の動作を説明する図である。
【図６】例示的な実施形態におけるディスクアレイ装置の動作を示すフローチャートである。
【図７】例示的な実施形態におけるディスクアレイ装置の構成を示すブロック図である。
【図８】例示的な実施形態におけるディスクアレイ装置の構成を示すブロック図である。
【図９】光ディスクアレイ装置の構成を示すブロック図である。
【発明を実施するための形態】
【００１３】
本発明の基礎となった知見は以下のとおりである。
【００１４】
図９に光ディスクを用いてＲＡＩＤを構成した光ディスクアレイ装置の一例を示す。ホストコンピュータに接続された図９に示す光ディスクアレイ装置では、複数の光ディスク８０５〜８０８を、複数の光ディスクドライブ８０１〜８０４に挿入し、データを複数の光ディスクに分散して記録することで、ＲＡＩＤを構成している。ＲＡＩＤ制御部８０９によりデータを複数に分割し、複数のドライブユニットで並列に記録再生するためのＲＡＩＤ制御を行っている。
【００１５】
図９は、ＲＡＩＤ５による記録を行う場合の例を示している。ホストコンピュータから送られたデータは、所定サイズのブロックを単位に３つに分割され（例えば、Ａ１、Ｂ１、Ｃ１）、さらに分割された３つのブロックに対するパリティブロック（例えば、Ｐ１）が生成され、合計４個のブロックでＲＡＩＤが構成される。パリティブロックには、ブロックＡ１、Ｂ１、Ｃ１の同じバイト位置にあるデータの排他的論理和を計算した結果が格納される。
【００１６】
分割された各データブロックとそれらのパリティブロックは、４台の光ディスクドライブ８０１〜８０４によって、４枚の光ディスク８０５〜８０８に並列に記録再生される。ＲＡＩＤ５では、さらにパリティブロックが１枚のディスクに集中して記録されないように、パリティブロックの記録される光ディスクを４ブロック毎に代えながら、４枚のディスクに分散されて記録される（例えば、Ａ２、Ｂ２、Ｐ２、Ｃ２）。
【００１７】
さらに、図９に示す光ディスクアレイ装置は、多数の光ディスクをチェンジャの収納庫８１０に格納した、チェンジャシステム構成の例を示している。８１１は収納庫から取り出した光ディスクを示している。交換可能な記録媒体を用いたアレイ装置では、記録済みの光ディスクをアレイ装置から取り出してオフラインに保存し、新たな光ディスクを収納庫に挿入することで、エネルギー消費を伴わず、見かけ上、無限に記録容量を増加させることができる。
【００１８】
ＲＡＩＤを構成し、複数の記録媒体にデータを分割して記録再生する場合、複数の記録媒体間の順序や組み合わせは、グループとして一括して管理する必要がある。グループ内で各記録媒体の順序や組み合わせに瑕疵があると、データの正常な記録再生は行えなくなる。また、例えばＲＡＩＤ５で記録したものを間違ってＲＡＩＤ６で再生するといった、ＲＡＩＤの構成を間違ってもデータの正常な記録再生は行えなくなる。
【００１９】
図９に示す光ディスクアレイ装置では、例えば、４枚の光ディスク８０５〜８０８が一つのグループとなっており、ＲＡＩＤ５を構成している。本明細書中では、このような記録媒体のグループをＲＡＩＤグループと記載する。
【００２０】
収納庫８１０には、通常、数十〜１００枚程度の光ディスクが収納されおり、これらをチェンジャにより切り替えて使用することにより、オンラインで使用できるディスク容量を増加させている。このため、収納庫８１０には多数のＲＡＩＤグループが混在した形で光ディスクが収納されている。また、収納庫８１０から取り出した光ディスク８１１にも多数のＲＡＩＤグループが混在している。
【００２１】
ＲＡＩＤを構成し、複数の記録媒体にデータを分割して記録再生する場合、記録媒体の順序や組み合わせは、グループとして一括して管理する必要がある。記録媒体の順序や組み合わせに瑕疵があると、データの正常な記録再生は行えなくなる。一方、交換可能な記録媒体では、各ドライブユニットと装着される記録媒体の組み合わせの自由度は高い。このため、交換可能な記録媒体を用いてＲＡＩＤを構成する場合、光ディスクアレイ装置から取り外した後の、記録媒体のグループ管理が容易でないという問題がある。例えば、光ディスクアレイ装置から取り外された多数の記録媒体を保管するときに、同じグループ内で記録媒体の順番が入れ替わったり、別グループの記録媒体が混ざったりする問題がある。また、同様に、保管されていた記録媒体を光ディスクアレイ装置にセットするときに、記録媒体の順番が入れ替わったり別グループの記録媒体が混ざったりする問題がある。
【００２２】
特許文献１が開示する光ディスクチェンジャ装置は、上記と同じ問題を有している。特許文献１が開示する光ディスクチェンジャ装置では、光ディスクチェンジャ装置内部の格納部からグループ分けされた光ディスクをグループ毎にドライブ装置へ搬送して、記録再生を行い、再びグループ毎に格納部に格納している。しかし、この光ディスクチェンジャ装置では、光ディスクを光ディスクチェンジャ装置外部へ取り出した後の光ディスクのグループ管理に関しては考慮されていない。そのため、記録媒体のみをアーカイブ保存する際に、記録媒体のグループ管理が容易でないという問題を有している。
【００２３】
特許文献２では、着脱可能な記録媒体に固有の識別情報を設定し、記憶装置にマウントした複数の記録媒体の識別情報を基にそれら記録媒体の組み合わせの正当性を判定し、正当性に瑕疵を見つけた場合には、記憶装置にマウントした複数の記録媒体のうちの１つ以上を元の格納庫に戻すことで、誤ったＲＡＩＤグループへの記録再生を行わないようにしている。しかし、この方法では、ＲＡＩＤグループの瑕疵の発生を予め抑制するのでなく、記録媒体をドライブ装置に一旦マウントした後にグループの正当性の瑕疵を検出するため、確認するための処理時間が余分に必要になるという課題を有している。
【００２４】
本発明の一態様は、ディスクアレイ装置から記録媒体を取り出した後も、ＲＡＩＤグループに瑕疵が発生し難い形態で、一括して容易に管理および保存ができるディスクアレイ装置を提供する。
【００２５】
本発明の一態様の概要は以下のとおりである。
【００２６】
本発明の一態様である記憶装置は、交換可能な複数の記録媒体に対して、複数のドライブユニットを用いてデータを記録再生する記憶装置であって、前記複数の記録媒体はマガジンに格納されており、１つの前記マガジンを単位に前記記憶装置に対して着脱され、前記記憶装置に装着された前記マガジンと前記複数のドライブユニットとの間で前記複数の記録媒体を搬送する搬送部と、前記複数の記録媒体で構成する所定のＲＡＩＤに応じてデータを分割し、２つ以上の前記ドライブユニットを用いて前記複数の記録媒体へ並列に記録するＲＡＩＤ制御部とを備え、１つのマガジン単位で１つのＲＡＩＤを構成する。
【００２７】
例えば、前記１つのマガジンに格納された全ての前記記録媒体で前記１つのＲＡＩＤを構成する。
【００２８】
例えば、前記マガジンに格納された前記記録媒体の個数を検出する検出部をさらに備え、前記ＲＡＩＤ制御部は、前記検出した記録媒体の個数に応じてＲＡＩＤの種類を切り替える。
【００２９】
前記ＲＡＩＤ制御部は、例えば、前記検出した記録媒体の個数と要求される信頼性とに応じて、ＲＡＩＤの種類を切り替える。
【００３０】
前記記憶装置には複数の前記マガジンが着脱され、前記複数のマガジンのうちの少なくとも１つに格納された記録媒体の個数が他のマガジンと異なる場合、前記ＲＡＩＤ制御部は、例えば、前記複数のマガジンのそれぞれの装着時のデータ転送速度が互いに一定となるように、ＲＡＩＤの種類を切り替える。
【００３１】
例えば、前記マガジンには最大６個の前記記録媒体が格納可能であり、前記ＲＡＩＤ制御部は、前記検出した記録媒体の個数が６個の場合にはＲＡＩＤ１を構成し、５個の場合にはＲＡＩＤ６を構成し、４個の場合にはＲＡＩＤ５を構成する。
【００３２】
例えば、複数の前記マガジンを同時に収納する収納庫をさらに備え、前記記憶装置は、使用するマガジンを前記複数のマガジン間で切り替え、前記複数のマガジンのそれぞれは、１つのマガジン単位で記憶装置に対して着脱される。
【００３３】
前記複数の記録媒体は、例えば、追記型光ディスクおよび書換え型光ディスクのいずれか一方に、マガジン単位で統一されている。
【００３４】
例えば、前記複数のドライブユニットのうちの少なくとも１つが故障した場合に代わりに使用する少なくとも１つの予備のドライブユニットをさらに備える。
【００３５】
例えば、前記マガジンには格納された前記記録媒体の個数を示す情報が設けられており、前記検出部は、前記記録媒体の個数を示す情報から前記記録媒体の個数を検出する。
【００３６】
前記検出部は、例えば、装着された前記マガジンから搬送された記録媒体を検出することで、前記記録媒体の個数を検出する。
【００３７】
本発明の一態様である記憶方法は、交換可能な複数の記録媒体に対して、複数のドライブユニットを用いてデータを記録再生する記憶方法であって、前記複数の記録媒体はマガジンに格納されており、１つの前記マガジンを単位に記憶装置に対して着脱され、前記記憶装置は、前記複数のドライブユニットを備え、前記記憶方法は、前記記憶装置に装着された前記マガジンと前記複数のドライブユニットとの間で前記複数の記録媒体を搬送するステップと、前記複数の記録媒体で構成する所定のＲＡＩＤに応じてデータを分割し、２つ以上の前記ドライブユニットを用いて前記複数の記録媒体へ並列に記録するステップと、を含み、１つのマガジン単位で１つのＲＡＩＤを構成する。
【００３８】
本発明の一態様であるマガジンは、複数の記録媒体を格納し、１つのマガジンを単位に記憶装置に対して着脱されるマガジンであって、前記記憶装置は、前記複数の記録媒体に対してデータの記録再生を行う複数のドライブユニットと、前記記憶装置に装着された前記マガジンと前記複数のドライブユニットとの間で前記複数の記録媒体を搬送する搬送部と、前記複数の記録媒体で構成する所定のＲＡＩＤに応じてデータを分割し、２つ以上の前記ドライブユニットを用いて前記複数の記録媒体へ並列に記録するＲＡＩＤ制御部とを備え、マガジンは１つのマガジン単位で１つのＲＡＩＤを構成する。
【００３９】
以下、本発明の実施形態について図面を参照しながら説明する。
【００４０】
（実施形態１）
図１は本発明の実施形態１におけるディスクアレイ装置１０１の構成を示すブロック図である。ディスクアレイ装置１０１は、交換可能な複数の記録媒体に対して、複数のドライブユニットを用いてデータを記録再生する記憶装置である。
【００４１】
図１において、ＲＡＩＤ制御部１０３は、ドライブ０〜ドライブ５の６台の光ディスクドライブユニット１１１を制御してＲＡＩＤを構成するコントローラである。ＲＡＩＤ制御部１０３は、マイクロプロセッサ、メモリおよびソフトウエア等で構成される。光ディスクドライブユニット１１１は装着されている光ディスクに対してデータの再生および記録を行う装置である。マガジン１０４は、複数の光ディスク１０５を格納可能であり、この例では最大６枚まで格納できる。実施形態１のディスクアレイ装置１０１では、ドライブユニット台数と、マガジンに格納可能な光ディスクの枚数は等しくなっている。
【００４２】
図１では、６枚の光ディスク１０５が格納されたマガジン１０４がディスクアレイ装置１０１に装着された状態を示している。マガジン１０４は、ディスクアレイ装置１０１のマガジン着脱部１１２に着脱することで、マガジン単位で着脱される。マガジン１０４の前面にはシャッター１０６が設けられ、ディスクアレイ装置１０１から取り出された状態では、格納されている光ディスクは、容易に取り出せない構成になっている。尚、ここでは、シャッター１０６をシャッターと記載したが、格納されている光ディスクが容易に取り出せない構造であれば、任意の構成で構わない。
【００４３】
また、マガジン１０４には、格納されているディスク枚数を示すためのスイッチ１１３が設けられており、マガジン着脱部１１２に設けられた検出部１０９によって、ディスク枚数が読み取られる。ここでは、６枚の光ディスクが格納されていることが検出される。スイッチ１１３および検出部１０９は、例えば、タブ状のスライドスイッチやセンサーホールとその検出器で構成できる。或いは、マガジンにＲＦタグを備え、ＲＦタグにマガジン自身を識別する識別情報やマガジンに格納されているディスク枚数等の管理情報を保存し、それを検出する構成であってもよい。
【００４４】
尚、ここでは、ディスク枚数の検出をスイッチ１１３と検出部１０９で検出するとしたが、その他の方法でディスク枚数を検出しても構わない。例えば、下記に説明する、ディスクの搬送時に搬送した枚数で検出してもよい。また、ディスクの搬送後に、ディスクが挿入された否かを、各光ディスクドライブユニット１１１で検出してもよい。また、枚数に応じた、例えば厚さの異なるマガジンを複数種類用いて、その厚さを機械的に検出してもよい。
【００４５】
搬送部１０７および１０８は、マガジン１０４に格納された光ディスク１０５を、ドライブ０〜ドライブ５の複数の光ディスクドライブユニット１１１の夫々に挿入する。搬送部１０７は、各光ディスクドライブユニット１１１をひとかたまりのドライブユニット群１０２として全体を上下方向に移動させ、搬送部１０８は、マガジン１１２から光ディスク１０５を１枚ずつ取り出して水平方向に移動させることで、各光ディスク１０５を各光ディスクドライブユニット１１１に１枚ずつ挿入する。搬送部１０７、１０８の上下、および水平方向の移動の制御は、ＲＡＩＤ制御部１０３によって行う。
【００４６】
また、各光ディスクドライブユニット１１１に挿入された光ディスク１０５をマガジン１０４に戻す場合も、ＲＡＩＤ制御部１０３によって、搬送部１０７、１０８の上下、および水平方向の移動の制御を行うことで実行され、各光ディスク１０５は順序を含めて元通りにマガジン１０４に戻される。なお、ドライブユニット群１０２を上下方向に移動させる代わりにマガジン１１２を上下方向に移動させてもよい。
【００４７】
以上のように構成された、実施形態１のディスクアレイ装置１０１にマガジン１０４が装着されると、マガジン１０４に設けられたスイッチ１１３を検出部１０９により読み取ることで、ディスク枚数が読み取られる。読み取られたディスク枚数情報１１０は、ＲＡＩＤ制御部１０３に送出される。
【００４８】
ＲＡＩＤ制御部１０３は、検出器１０９によって検出されたディスク枚数情報１１０に応じて、搬送部１０７、１０８の上下、および水平方向の制御を行い、各光ディスク１０５をマガジン１０４から１枚ずつ取り出して、各光ディスクドライブユニット１１１に１枚ずつ挿入する。
【００４９】
図２は、各光ディスク１０５がマガジン１０４から取り出され、各光ディスクドライブユニット１１１に１枚ずつ挿入された状態を示している。
【００５０】
図２では、各光ディスクドライブユニット１１１に、光ディスク１０５が１枚ずつ挿入されており、ディスクが取り出されたマガジン１０４は空になっている。
【００５１】
ＲＡＩＤ制御部１０３は、検出器１０９によって検出されたディスク枚数情報１１０に対応して所定のＲＡＩＤグループを構成し、光ディスクドライブユニット１１１を制御することで、データを複数の光ディスクに分散して並列に記録再生する。光ディスクの枚数が６枚の場合にはＲＡＩＤ１、５枚の場合にはＲＡＩＤ６、４枚の場合にはＲＡＩＤ５を構成する。複数の光ディスク１０５に対し、複数の光ディスクドライブユニット１１１を用いて並列処理と冗長性を付加してデータを記録再生するＲＡＩＤを構成することで、１枚の光ディスクに対して１台の光ディスクドライブで記録再生する場合に比較して、非常に高い信頼性と高転送速度を実現することが可能になっている。
【００５２】
マガジン１０４をディスクアレイ装置１０１から取り外す場合には、取り外しに先立って、各光ディスクドライブユニット１１１に挿入された光ディスク１０５はマガジン１０４に戻される。マガジン１０４へのディスクの返送は、ＲＡＩＤ制御部１０３によって、搬送部１０７、１０８の上下、および水平方向の移動の制御を行うことで実行される。マガジン１０４に各光ディスク１０５が順序を含めて元通りに戻された後に、マガジン１０４はディスクアレイ装置１０１から取り外される。
【００５３】
実施形態１の光ディスクアレイ装置１０１では、以上説明したように、一つのマガジンに格納された複数の光ディスクのみで所定のＲＡＩＤグループを構成し、マガジンを単位にディスクアレイ装置から取り出す。さらに、ディスクアレイ装置１０１から取り出されたマガジンからは、格納されている光ディスクが容易に取り出せない構成になっている。この結果、ディスクアレイ装置から取り出したマガジンを、例えば棚等に保管しオフラインで長期保存した場合に、光ディスクの一部欠落や順序の入れ替わりによるＲＡＩＤグループの瑕疵が物理的に発生しない構成となっており、ＲＡＩＤを構成する複数の記録媒体を、マガジンを単位に、一括して容易に管理、保存することが可能となっている。
【００５４】
図３は、以上説明した本発明の実施形態１におけるディスクアレイ装置１０１に、６枚の光ディスク入りのマガジンが装着された場合の動作の詳細を説明する図である。
【００５５】
図３において、マガジン３０１には６枚の光ディスク３０５が格納されている。光ディスク３０５は、ドライブ０からドライブ５の６台の光ディスクドライブに１枚ずつ挿入される。ＲＡＩＤ制御部１０３は、データをブロック単位に、Ａ１、Ｂ１、Ｃ１の３つに分割し、さらにそれぞれを二重化し、６台の光ディスクドライブで並列に記録する。ここでは、データの分散（ストライピング）と二重化（ミラーリング）を同時に行ったＲＡＩＤ１構成となっている。尚、ここでは、ストライピングとミラーリングを同時に行った、ＲＡＩＤ１＋０（ＲＡＩＤ１０）、およびＲＡＩＤ０＋１（ＲＡＩＤ０１）も、ＲＡＩＤ１に含まれるものとする。
【００５６】
以上のように、６枚の光ディスクでＲＡＩＤ１を構成することで、１枚の光ディスクに記録する場合の３倍の高転送速度と高信頼性を実現している。また、ここではミラーリングを行うＲＡＩＤ１を用いているので、信頼性は、以下に説明するＲＡＩＤ６やＲＡＩＤ５に比較して、最も高くなっている。
【００５７】
実施形態１におけるディスクアレイ装置１０１では、一つのマガジン３０１に格納された複数の光ディスク３０５で所定のＲＡＩＤグループを構成し、マガジン単位でディスクアレイ装置１０１に着脱される。逆に言えば、着脱の単位であるマガジンで１つのＲＡＩＤグループが構成されている。
【００５８】
図３において、マガジン３０２、３０３、３０４は、ディスクアレイ装置１０１から取り外された別のマガジンを示しており、マガジン単位でＲＡＩＤグループが構成されている。各マガジンには、ディスクアレイ装置１０１から取り出された状態では、格納されている光ディスクが容易に取り出せないように、シャッター３０６が設けられている。このため、ＲＡＩＤを構成する一部の光ディスクの欠落や順序の入れ替わりによるＲＡＩＤグループの瑕疵が発生しない。さらに、マガジンに格納された光ディスクの枚数に応じて、ＲＡＩＤグループの構成が決定されるため、ＲＡＩＤ構成を間違う可能性も無い構成となっている。
【００５９】
図４は、本発明の実施形態１におけるディスクアレイ装置１０１に、５枚の光ディスク入りのマガジンが装着された場合の動作を説明する図である。
【００６０】
図４において、マガジン４０１には５枚の光ディスク４０５が格納されている。光ディスク４０５は、ドライブ０からドライブ４の５台の光ディスクドライブに１枚ずつ挿入される。ＲＡＩＤ制御部１０３は、データをブロック単位に、Ａ１、Ｂ１、Ｃ１の３つに分割する。さらにそれらに対する、ブロック単位の２種類のパリティＰ１、Ｑ１を生成し、５台の光ディスクドライブでこれらを並列に記録する。ここでは、データのストライピングと２種類のパリティを並列記録するＲＡＩＤ６構成となっている。
【００６１】
以上のように、５枚の光ディスクでＲＡＩＤ６を構成することで、１枚の光ディスクに記録する場合の３倍の高転送速度と高信頼性を実現している。また、ここではＲＡＩＤ６構成を用いているので、信頼性は、以下に説明するＲＡＩＤ５に比較してより高くなっている。また、図３で説明したＲＡＩＤ１構成よりも信頼性は低いが、その分ディスク枚数が少ないので、コストをより小さくすることが可能になっている。
【００６２】
発明の実施形態１におけるディスクアレイ装置１０１では、一つのマガジン４０１に格納された複数の光ディスク４０５で所定のＲＡＩＤグループを構成し、マガジン単位でディスクアレイ装置１０１に着脱される。逆に言えば、着脱単位の１つのマガジンで、１つのＲＡＩＤグループが構成されている。
【００６３】
図４において、マガジン４０２、４０３、４０４は、ディスクアレイ装置１０１から取り外された別のマガジンを示しており、マガジン単位でＲＡＩＤグループが構成されている。各マガジンには、ディスクアレイ装置１０１から取り出された状態では、格納されている光ディスクが容易に取り出せないようにシャッター４０６が設けられているため、ＲＡＩＤを構成する一部の光ディスクの欠落や順序の入れ替わりによるＲＡＩＤグループの瑕疵が発生しない構成となっている。さらに、マガジンに格納された光ディスクの枚数に応じて、ＲＡＩＤグループの構成が決定されるため、間違ったＲＡＩＤ構成で記録再生することのない、信頼性の高い構成となっている。
【００６４】
図５は、本発明の実施形態１におけるディスクアレイ装置１０１に、４枚の光ディスク入りのマガジンが装着された場合の動作を説明する図である。
【００６５】
図５において、マガジン５０１には４枚の光ディスク５０５が格納されている。光ディスク５０５は、ドライブ０からドライブ３の４台の光ディスクドライブに１枚ずつ挿入される。ＲＡＩＤ制御部１０３は、データをブロック単位に、Ａ１、Ｂ１、Ｃ１の３つに分割する。さらにそれらに対する、ブロック単位のパリティＰ１を生成し、４台の光ディスクドライブでこれらを並列に記録する。ここでは、データのストライピングとパリティを並列記録するＲＡＩＤ５構成となっている。
【００６６】
以上のように、４枚の光ディスクでＲＡＩＤ５を構成することで、１枚の光ディスクに記録する場合の３倍の高転送速度と高信頼性を実現している。また、ここではＲＡＩＤ５構成を用いているので、信頼性は、前に説明したＲＡＩＤ１やＲＡＩＤ６に比較して低くなっているが、その分ディスク枚数が最も少ないので、コストは最も小さくなっている。
【００６７】
本発明の実施形態１におけるディスクアレイ装置１０１では、一つのマガジン５０１に格納された複数の光ディスク５０５で所定のＲＡＩＤグループを構成し、マガジン単位でディスクアレイ装置１０１に着脱される。逆に言えば、着脱単位の１つのマガジンで、１つのＲＡＩＤグループが構成されている。
【００６８】
図５において、マガジン５０２、５０３、５０４は、ディスクアレイ装置１０１から取り外された別のマガジンを示しており、マガジン単位でＲＡＩＤグループが構成されている。各マガジンには、ディスクアレイ装置１０１から取り出された状態では、格納されている光ディスクが容易に取り出せないようにシャッター５０６が設けられているため、ＲＡＩＤを構成する一部の光ディスクの欠落や順序の入れ替わりによるＲＡＩＤグループの瑕疵が発生しない構成となっている。さらに、マガジンに格納された光ディスクの枚数に応じて、ＲＡＩＤグループの構成が決定されるため、ＲＡＩＤ構成を間違って記録再生することもない構成となっている。
【００６９】
図６は、実施形態１におけるディスクアレイ装置１０１の動作を示したフローチャートである。
【００７０】
ステップ６０１で、所定数の光ディスクが格納されたマガジン１１２がディスクアレイ装置１０１に装着される。
【００７１】
ステップ６０２で、マガジン着脱部１１２に設けられた検出部１０９によって、マガジン内のディスク枚数が読み取られる。
【００７２】
ステップ６０３、６０４、６０５で、各ディスクが光ディスクドライブユニット１１１に搬送される。
【００７３】
ステップ６０６、６０７、６０８で、ディスク枚数に応じて所定のＲＡＩＤ構成を組み、データを記録再生する。６枚の場合はＲＡＩＤ１、５枚の場合はＲＡＩＤ６、４枚の場合はＲＡＩＤ５でＲＡＩＤグループを構成する。以後、マガジンを取り出すまでは、所定のＲＡＩＤ構成で並列にデータの記録再生を行う。
【００７４】
マガジンを取り出す場合には、ステップ６０９で、ＲＡＩＤ制御部１０３によって、搬送部１０７、１０８の上下、および水平方向の移動の制御を行うことで、各光ディスク１０５は順序を含めて元通りにマガジン１０４に戻される。
【００７５】
ステップ６１０で、ディスクアレイ装置１０１からマガジン１０４が取り外される。
【００７６】
以上説明したように、実施形態１のディスクアレイ装置では、着脱可能なマガジン１個単位で所定のＲＡＩＤグループを構成し、データの記録再生を行うことにより、アレイ装置から記録媒体を取り出した後も、複数の記録媒体をグループとして、一括して容易に、管理、保存することができる。マガジンに格納されている光ディスクは、装置から取り外された状態のマガジンからは容易に取り出せないため、ＲＡＩＤを構成する一部の光ディスクの欠落や順序の入れ替わりによるＲＡＩＤグループの瑕疵が物理的に発生し難い構成となっている。
【００７７】
さらに、マガジンに格納された光ディスクの枚数に応じて、ＲＡＩＤグループの構成が決定されるため、間違ったＲＡＩＤ構成で記録再生することのない、信頼性の高い構成となっており、ディスクアレイ装置から記録媒体を取り出した後も、複数の記録媒体をグループとして、例えば棚等にマガジンを保管するだけで、長期の保存や管理を容易に行うことができる。
【００７８】
また、マガジンに格納された光ディスクの枚数に応じてＲＡＩＤグループの構成を、ＲＡＩＤ１とＲＡＩＤ６とＲＡＩＤ５のいずれかに切り替えるため、マガジンの記録容量とデータ転送速度は一定になり、信頼性をコストに応じて簡単に切り替えることが可能となった。この結果、マガジンの使用に先立って、データに要求される信頼性とコストに応じて使用するマガジンを選択することで、ユーザーが簡単に信頼性を選択可能な、使い勝手が良く、かつデータ管理の容易な、ストレージを実現することが可能となった。
【００７９】
なお、１つのマガジンに格納された全ての光ディスクで構成可能なＲＡＩＤのうち最も信頼性の高いＲＡＩＤを構成してもよいし、要求される信頼性に応じて別のＲＡＩＤを構成してもよい。１つのマガジン単位で１つのＲＡＩＤが構成されていればよい。
【００８０】
また、マガジンに格納される光ディスクの種類としては、追記型光ディスクおよび書換え型光ディスクのいずれか一方にマガジン単位で統一されていてもよい。１つのマガジンに同じ種類の記録媒体を格納しておくことで、ユーザーは用途の応じたマガジンの選択が容易になる。
【００８１】
また、図７に示すように、ディスクアレイ装置１０１は、ドライブユニット１１１が故障した場合に代わりに使用する予備のドライブユニット１２１を１つ以上備えていてもよい。予備のドライブユニット１２１を少なくとも１つ備えておくことにより、ドライブユニット１１１が故障した場合でもデータの記録再生を継続することができるので、動作の安定したディスクアレイ装置を実現することができる。
【００８２】
（実施形態２）
本発明の実施形態２のディスクアレイ装置７００は、複数のマガジンを同時に装着し、チェンジャにより使用するマガジンを切り替える構成となっていることが、実施形態１のディスクアレイ装置１０１と異なる。実施形態１と同様に、実施形態２のディスクアレイ装置７００では、ドライブユニット台数と、一つのマガジンに格納可能な光ディスクの枚数は等しくなっている。ここでは、共に６となっている。
【００８３】
図８は、本発明の実施形態２におけるディスクアレイ装置の構成を説明するブロック図である。
【００８４】
図８において、マガジンの収納庫７０８には複数のマガジン７０１、７０２、７０３が装着されている。実施形態２におけるディスクアレイ装置では、使用するマガジンを収納庫７０８に収納されている複数のマガジン間で切り替える、チェンジャ構成となっている。使用するマガジンの切り替えは、マガジン移送部７１１により、収納庫７０８全体を上下に移動７１０をさせることで行い、どのマガジンが使用されるかは、ここでは、マガジンの高さ位置に依存する。図８では、マガジン７０１の高さ位置が、使用するマガジンの高さ位置となっており、マガジン７０１が使用されていることを示している。
【００８５】
マガジン７０１には４枚の光ディスク７０９が格納されている。実施形態１と同様に、ＲＡＩＤ制御部７１３によって、搬送部７１４でドライブユニット群７０７全体の上下方向の制御と、搬送部７１５で水平方向に光ディスクの取り出しと装着の制御を行うことによって、マガジン７０１に格納された光ディスク７０９はドライブ０からドライブ３の４台の光ディスクドライブユニットに１枚ずつ挿入される。
【００８６】
ＲＡＩＤ制御部７１３は、データをブロック単位に、Ａ１、Ｂ１、Ｃ１の３つに分割する。さらにそれらに対する、ブロック単位のパリティＰ１を生成し、４台の光ディスクドライブでこれらを並列に記録する。ここでは、データのストライピングとパリティを複数のドライブで並列記録するＲＡＩＤ５構成となっている。
【００８７】
以上のように、４枚の光ディスクでＲＡＩＤ５を構成することで、１枚の光ディスクに記録する場合の３倍の高転送速度と高信頼性を実現している。また、ここではＲＡＩＤ５構成を用いているので、信頼性は、実施形態１で説明したＲＡＩＤ１やＲＡＩＤ６に比較して低くなっているが、その分ディスク枚数が最も少ないので、コストは最も小さくなっている。
【００８８】
使用するマガジンを他のマガジンに切り替える場合、マガジンの切り替えに先立って、初めに、各光ディスクドライブユニットに挿入された光ディスク７０９はマガジン７０１に戻される。マガジン７０１へのディスクの返送は、ＲＡＩＤ制御部７１３によって、搬送部７１４、７１５の上下、および水平方向の制御を行うことで実行される。
【００８９】
次に、例えばマガジン７０２を使用する場合は、マガジンが格納された収納庫７０８全体をマガジン１個分だけ上方向に移動させて使用する。収納庫７０８の上下の制御は、ＲＡＩＤ制御部７１３によって、収納庫の移送部７１１を制御することで行われる。
【００９０】
実施形態１と同様に実施形態２においても、マガジンに格納されている光ディスクの枚数に対応して、ＲＡＩＤ構成を変えてデータの記録再生を行う。５枚の光ディスクが格納されているマガジン７０２ではＲＡＩＤ６、６枚の光ディスクが格納されているマガジン７０３ではＲＡＩＤ１で、データを記録再生する。複数の光ディスクに対し、複数の光ディスクドライブユニットを用いて並列処理と冗長性を付加してデータを記録再生するＲＡＩＤを構成することで、１枚の光ディスクに対して１台の光ディスクドライブで記録再生する場合に比較して、非常に高い信頼性と数倍以上の高い転送速度を実現することが可能になっている。尚、図８ではマガジンに格納されている光ディスクの枚数を検出するためのスイッチや検出器等は、実施形態１と同等であるので省略している。
【００９１】
図８において、マガジン７０４、７０５、７０６は、ディスクアレイ装置７００から取り外された別のマガジンを示しており、マガジン単位でＲＡＩＤグループが構成されている。各マガジンには、ディスクアレイ装置から取り出された状態では、格納されている光ディスクが容易に取り出せないようにシャッター７１２が設けられているため、ＲＡＩＤを構成する一部の光ディスクの欠落や順序の入れ替わりによるＲＡＩＤグループの瑕疵が発生しない構成となっており、ＲＡＩＤを構成する複数の記録媒体を、マガジンを単位に一括して容易に管理、保存することが可能となっている。
【００９２】
さらに、マガジンに格納された光ディスクの枚数に応じて、ＲＡＩＤグループの構成を決定するため、間違ったＲＡＩＤ構成で記録再生することのない、信頼性の高い構成となっており、ディスクアレイ装置から記録媒体を取り出した後も、複数の記録媒体をグループとして、一括して容易に管理、保存することが可能になっている。
【００９３】
本発明の実施形態２におけるディスクアレイ装置７００では、複数のマガジンが収納庫７０８に格納されるが、１つのマガジンに格納された複数の光ディスクのみで１つの所定のＲＡＩＤグループを構成する。複数のマガジンに跨ってＲＡＩＤグループを構成しないようになっている。このため、マガジンをディスクアレイ装置の収納庫７０８から取り外す場合も、複数のマガジンや、あるいは全てのマガジンを同時に取り外す必要がなく、１つのＲＡＩＤグループを構成する最小の単位であるマガジンを単位にディスクアレイ装置から取り出すことが可能になっている。
【００９４】
複数の交換可能媒体を装着可能なチェンジャ構成を有するＲＡＩＤシステムにおいて、取り出した後の記録媒体の管理が瑕疵なく容易に行え、かつ、その取り出し単位が小さいことは、非常に有用な特徴となっている。例えば、使用する頻度の高いデータをマガジン単位でディスクアレイ装置の収納庫に残し、使用頻度の低いデータのマガジンのみを装置から取り出して棚等に保管することができる。棚等へのオフラインの保存と収納庫へのオンラインの保存をより最適な形で組み合わせることが可能となり、より使用頻度の高いデータが記録されているマガジンを常にオンラインに保存することが容易に行える構成になっている。
【００９５】
以上のように、実施形態１および２のディスクアレイ装置およびディスクアレイ制御方法は、例えば、以下の構成を有している。
【００９６】
すなわち、実施形態１および２のディスクアレイ装置は、交換可能な複数枚の記録媒体に対して、複数のドライブユニットでデータを記録再生するディスクアレイ装置である。ここで、最大ｎ枚が格納可能なマガジンに格納された記録媒体は、マガジンを単位にディスクアレイ装置に着脱される。当該ディスクアレイ装置は、ｎ台以上のドライブユニットと、装着されたマガジンと複数のドライブユニットとの間で複数の記録媒体を搬送する搬送部と、データを所定のＲＡＩＤグループに分割し、複数のドライブユニットで並列に記録再生するＲＡＩＤ制御部とを有している。このとき、一つのマガジンに格納された複数の記録媒体で、所定のＲＡＩＤグループを構成する。
【００９７】
また、実施形態１および２のディスクアレイ制御方法は、交換可能な複数枚の記録媒体に対して、複数のドライブユニットでデータを記録再生するディスクアレイ制御方法である。当該ディスクアレイ制御方法は、最大ｎ枚が格納可能なマガジンに格納された記録媒体をマガジン単位に着脱するステップと、装着されたマガジンと複数のドライブユニットとの間で複数の記録媒体を搬送するステップと、データを所定のＲＡＩＤグループに分割し、複数のドライブユニットで並列に記録再生するＲＡＩＤ制御ステップとを有している。このとき、一つのマガジンに格納された複数の記録媒体で、所定のＲＡＩＤグループを構成する。
【００９８】
以上のディスクアレイ装置、もしくは、ディスクアレイ制御方法によれば、複数の交換可能な記録媒体を用いてＲＡＩＤを構成した場合に、チェンジャシステムやアレイ装置から記録媒体を取り出した後も、複数の記録媒体をグループとして、一括して容易に、管理、保存することができる。
【００９９】
また、実施形態１および２のディスクアレイ装置は、マガジンに格納された記録媒体の枚数を検出する検出部をさらに有していてもよい。このとき、ＲＡＩＤ制御部は、検出した記録媒体の枚数に対応して、ＲＡＩＤグループの構成を切り替えてもよい。
【０１００】
また、実施形態１および２のディスクアレイ制御方法は、マガジンに格納された記録媒体の枚数を検出するステップをさらに有していてもよい。このとき、ＲＡＩＤ制御ステップは、検出した記録媒体の枚数に対応して、ＲＡＩＤグループの構成を切り替えてもよい。
【０１０１】
以上のディスクアレイ装置、もしくは、ディスクアレイ制御方法によれば、間違ったＲＡＩＤ構成で記録再生することのない、信頼性の高い構成となる。このため、ディスクアレイ装置から記録媒体を取り出した後も、複数の記録媒体をグループとして、例えば棚等にマガジンを保管するだけで、長期の保存や管理を容易に行うことができる。
【０１０２】
さらに、実施形態１および２のディスクアレイ装置においては、マガジンに設けられたスイッチにより、マガジンに格納された記録媒体の枚数を検出してもよい。もしくは、複数のドライブユニットで記録媒体が装着されたことを、各々検出することで、マガジンに格納された記録媒体の枚数を検出してもよい。
【０１０３】
また、実施形態１および２のディスクアレイ装置において、ＲＡＩＤ制御部は、マガジンに格納された記録媒体の枚数が多い場合には、より高い信頼性を得られるように、ＲＡＩＤグループの構成を切り替えてもよい。
【０１０４】
また、実施形態１および２のディスクアレイ装置において、ＲＡＩＤ制御部は、マガジンに格納された記録媒体の枚数が所定の範囲である場合には、冗長分を除いたマガジンの記録容量とデータ転送速度が一定となるように、ＲＡＩＤグループの構成を切り替えてもよい。
【０１０５】
また、実施形態１および２のディスクアレイ装置において、マガジンには最大６枚の記録媒体が格納可能であるとき、ＲＡＩＤ制御部は、検出した記録媒体の枚数が６枚の場合にはＲＡＩＤ１、５枚の場合にはＲＡＩＤ６、４枚の場合にはＲＡＩＤ５を構成してもよい。
【０１０６】
また、実施形態１および２のディスクアレイ制御方法において、ＲＡＩＤ制御ステップは、マガジンに格納された記録媒体の枚数が多い場合には、より高い信頼性を得られるように、ＲＡＩＤグループの構成を切り替えてもよい。
【０１０７】
また、実施形態１および２のディスクアレイ制御方法において、ＲＡＩＤ制御ステップは、マガジンに格納された記録媒体の枚数が所定の範囲である場合には、冗長分を除いたマガジンの記録容量とデータ転送速度が一定となるように、ＲＡＩＤグループの構成を切り替えてもよい。
【０１０８】
また、実施形態１および２のディスクアレイ制御方法において、マガジンには最大６枚の記録媒体が格納可能であるとき、ＲＡＩＤ制御ステップは、検出した記録媒体の枚数が６枚の場合にはＲＡＩＤ１、５枚の場合にはＲＡＩＤ６、４枚の場合にはＲＡＩＤ５を構成してもよい。
【０１０９】
以上のディスクアレイ装置、もしくは、ディスクアレイ制御方法によれば、マガジンの使用に先立って、データに要求される信頼性とコストに応じて使用するマガジンを選択することが可能となる。これにより、ユーザーが簡単に信頼性を選択可能な、使い勝手が良く、かつデータ管理の容易な、ストレージを実現することが可能となる。
【０１１０】
また、実施形態１および２のディスクアレイ装置において、複数の記録媒体は、追記型の光ディスク、あるいは繰り返し記録消去可能な消去型の光ディスクのいずれか一方に、マガジン単位で統一されていてもよい。
【０１１１】
また、実施形態２において説明したように、ディスクアレイ装置は、マガジンを複数装着し、チェンジャによりマガジンを切り替える構成であってもよい。
【０１１２】
なお、以上説明した実施形態１および実施形態２において、ドライブユニットの台数は、マガジンに格納可能な光ディスクの枚数と同じであったが、ドライブユニットの故障時にバックアップに用いるスペアドライブとして、予めディスクアレイ装置に予備のドライブユニットを備えてもよい。すなわち、ディスクアレイ装置が備える複数のドライブユニットには、スペアのドライブユニットが１台以上含まれていてもよい。この場合、ドライブユニット台数は、マガジンに格納可能な光ディスクの枚数より大きくなる。
【０１１３】
なお、実施形態１および実施形態２において、使用するＲＡＩＤ構成は、ＲＡＩＤ１、ＲＡＩＤ６、ＲＡＩＤ５であったが、これらの一部のＲＡＩＤ構成、あるいは他のＲＡＩＤ構成を組み合わせて用いてもよい。また、例えばマガジンが２枚の光ディスクを格納している場合は、ＲＡＩＤ１（ミラーリング）をを構成し、２台のドライブユニットを用いて記録再生を行ってもよい。
【０１１４】
また、実施形態１および実施形態２において、使用するＲＡＩＤ構成は、マガジンに格納された光ディスクの枚数に応じて切り替えたが、所定のＲＡＩＤ構成を用いてもよい。あるいは、マガジンにＲＦタグ等を備え、ＲＦタグで使用するＲＡＩＤ構成を指定する構成であってもよい。
【０１１５】
また、光ディスクを記録媒体の一例として上記の説明を行なってきたが、本発明は光ディスクに限定されない。例えば、記録媒体はフラッシュメモリ等の半導体メモリや磁気テープであってもよい。交換可能な複数の記録媒体を用いてＲＡＩＤを構成する記憶装置に本発明は適用可能である。
【０１１６】
以上、本発明の特定の実施形態について説明してきたが、当業者にとっては他の多くの変形例、修正、他の利用が本発明に含まれることは明らかである。それゆえ、本発明は、ここでの特定の実施形態に限定されず、請求項によってのみ限定され得る。
【産業上の利用可能性】
【０１１７】
本発明によれば、交換可能な記録媒体が複数格納されているマガジンを単位に着脱し、一つのマガジンに格納された複数の記録媒体で、所定のＲＡＩＤグループを構成する。これにより、チェンジャシステムやアレイ装置から記録媒体を取り出した後も、ＲＡＩＤグループの瑕疵の発生を抑制し、一括して容易に、管理、保存することが可能となる。本発明は、例えば、コンピュータシステムにおけるアーカイブ装置に適用できる。
【符号の説明】
【０１１８】
１０１  ディスクアレイ装置
１０３、７１３、８０９  ＲＡＩＤ制御部
１０４、３０１〜３０４、４０１〜４０４、５０１〜５０４、７０１〜７０６  マガジン
１０５、３０５、４０５、５０５、７０９、８０５〜８０８  光ディスク
１０６、３０６、４０６、５０６、７１２  シャッター
１１１  光ディスクドライブユニット
１０７、１０８、７１４、７１５  搬送部
７０８  収納庫
７１１  移送部
【図１】
2013005418.tif 000003
【図２】
2013005418.tif 000004
【図３】
2013005418.tif 000005
【図４】
2013005418.tif 000006
【図５】
2013005418.tif 000007
【図６】
2013005418.tif 000008
【図７】
2013005418.tif 000009
【図８】
2013005418.tif 000010
【図９】
2013005418.tif 000011
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
交換可能な複数の記録媒体に対して、複数のドライブユニットを用いてデータを記録再生する記憶装置であって、
前記複数の記録媒体はマガジンに格納されており、１つの前記マガジンを単位に前記記憶装置に対して着脱され、
前記記憶装置に装着された前記マガジンと前記複数のドライブユニットとの間で前記複数の記録媒体を搬送する搬送部と、
前記複数の記録媒体で構成する所定のＲＡＩＤに応じてデータを分割し、２つ以上の前記ドライブユニットを用いて前記複数の記録媒体へ並列に記録するＲＡＩＤ制御部と、
を備え、
前記マガジンは、マガジンを識別するマガジン識別情報およびマガジン内の記録媒体で構成するＲＡＩＤを管理するための管理情報の少なくとも一方が保存されるＲＦタグを備え、
１つのマガジン単位で１つのＲＡＩＤを構成する、記憶装置。
【請求項１５】
前記１つのマガジンに格納された全ての前記記録媒体で前記１つのＲＡＩＤを構成する、請求項１４に記載の記憶装置。
【請求項１６】
前記管理情報は、マガジン内の記録媒体の個数およびマガジン内の記録媒体で構成するＲＡＩＤの種類に関する情報の少なくとも一方を含む、請求項１４に記載の記憶装置。
【請求項１７】
前記マガジンは、前記記憶装置から取り出された状態において、格納されている前記複数の記録媒体が前記マガジンから取り出されることを防ぐシャッターを備える、請求項１４に記載の記憶装置。
【請求項１８】
前記記憶装置には複数の前記マガジンが着脱され、
前記複数のマガジンのうちの少なくとも１つに格納された記録媒体の個数が他のマガジンと異なる場合、前記ＲＡＩＤ制御部は、前記複数のマガジンのそれぞれの装着時のデータ転送速度が互いに一定となるように、ＲＡＩＤの種類を切り替える、請求項１６に記載の記憶装置。
【請求項１９】
前記マガジンには最大６個の前記記録媒体が格納可能であり、
前記ＲＡＩＤ制御部は、前記記録媒体の個数が６個の場合にはＲＡＩＤ１を構成し、５個の場合にはＲＡＩＤ６を構成し、４個の場合にはＲＡＩＤ５を構成する、請求項１８に記載の記憶装置。
【請求項２０】
複数の前記マガジンを同時に収納する収納庫をさらに備え、
前記記憶装置は、使用するマガジンを前記複数のマガジン間で切り替え、
前記複数のマガジンのそれぞれは、１つのマガジン単位で記憶装置に対して着脱される、請求項１４に記載の記憶装置。
【請求項２１】
前記複数の記録媒体は、追記型光ディスクおよび書換え型光ディスクのいずれか一方に、マガジン単位で統一されている、請求項１４に記載の記憶装置。
【請求項２２】
前記複数のドライブユニットのうちの少なくとも１つが故障した場合に代わりに使用する少なくとも１つの予備のドライブユニットをさらに備える、請求項１４に記載の記憶装置。
【請求項２３】
複数の記録媒体を格納し、１つのマガジンを単位に記憶装置に対して着脱されるマガジンであって、
前記記憶装置は、前記複数の記録媒体に対してデータの記録再生を行う複数のドライブユニットと、
前記記憶装置に装着された前記マガジンと前記複数のドライブユニットとの間で前記複数の記録媒体を搬送する搬送部と、
前記複数の記録媒体で構成する所定のＲＡＩＤに応じてデータを分割し、２つ以上の前記ドライブユニットを用いて前記複数の記録媒体へ並列に記録するＲＡＩＤ制御部と、
を備え、
前記マガジンは、マガジンを識別するマガジン識別情報およびマガジン内の記録媒体で構成するＲＡＩＤを管理するための管理情報の少なくとも一方が保存されるＲＦタグを備え、
前記マガジンは、前記記憶装置から取り出された状態において、格納されている前記複数の記録媒体が前記マガジンから取り出されることを防ぐシャッターを備え、
１つのマガジン単位で１つのＲＡＩＤを構成する、マガジン。
【国際調査報告】
2013005418.tif 000012
2013005418.tif 000013